(57)【要約】【課題】安定して近接無線通信が実行される位置に容易に位置決めできるようにする。【解決手段】パーソナルコンピュータ１０は、無線信号を送受信するカプラ２１と、カプラ２１により送受信される無線信号の電界強度を検出する近接無線通信コントローラ１２４と、電界強度の変化に応じた出力をさせるためのインジケータ２２が設けられている。ＣＰＵ１１１は、電界強度が時間経過に伴って強くなっている第１の状態と、時間経過に伴って弱くなっている第２の状態を検出し、第１の状態と第２の状態のそれぞれに応じて、制御マイコン１２６を通じてインジケータ２２からの出力形態を制御する。【選択図】      図２
2010128975.tif 000002
【特許請求の範囲】
【請求項１】
無線信号を送受信する通信モジュールと、
前記通信モジュールにより送受信される無線信号の電界強度を検出する電界強度検出手段と、
前記電界強度検出手段により検出された電界強度が、時間経過に伴って強くなっている第１の状態と、時間経過に伴って弱くなっている第２の状態を検出する状態検出手段と、
出力手段と、
前記第１の状態と前記第２の状態のそれぞれに応じて前記出力手段による出力を制御する出力制御手段と
を具備したことを特徴とする電子機器。
【請求項２】
前記状態検出手段は、前記電界強度検出手段により検出される単位時間あたりの変化量をもとに、前記第１の状態及び前記第２の状態を検出することを特徴とする請求項１記載の電子機器。
【請求項３】
前記出力制御手段は、前記電界強度検出手段により検出された電界強度が予め設定された閾値上限を越えた場合に、前記出力手段からの出力形態を予め決められた特定の形態にすることを特徴とする請求項１記載の電子機器。
【請求項４】
前記出力手段は、光を点灯させる発光手段であって、
前記出力制御手段は、前記第１の状態の場合に前記発光手段による点滅間隔を短くし、前記第２の状態の場合に前記発光手段による点滅間隔を長くするように制御することを特徴とする請求項２記載の電子機器。
【請求項５】
前記出力手段は、振動を発生させる振動手段であって、
前記出力制御手段は、前記第１の状態の場合に前記振動手段による振動間隔を短くし、前記第２の状態の場合に前記振動手段による振動間隔を長くするように制御することを特徴とする請求項２記載の電子機器。
【請求項６】
前記出力手段は、表示装置であって、
前記出力制御手段は、前記第１の状態の場合に、通信状態が良くなっていることを表す情報を前記表示装置において表示させ、前記第２の状態の場合に、通信状態が悪くなっていることを表す情報を前記表示装置において表示させることを特徴とする請求項２記載の電子機器。
【請求項７】
無線信号を送受信する通信モジュールと、前記通信モジュールにより送受信される無線信号の電界強度を検出する電界強度検出手段と、出力手段とを有する電子機器における通信状態出力方法であって、
前記電界強度検出手段により検出された電界強度が、時間経過に伴って強くなっている第１の状態と、時間経過に伴って弱くなっている第２の状態を検出し、
前記第１の状態と前記第２の状態のそれぞれに応じて前記出力手段による出力を制御することを特徴とする通信状態出力方法。
【発明の詳細な説明】
【技術分野】
【０００１】
本発明は、無線通信を行う電子機器、同電子機器における通信状態出力方法に関する。
【背景技術】
【０００２】
近年では、通信可能距離が数ｃｍ程度の近接無線通信を行うシステムが広く使用されている。近接無線通信は、例えば電子マネーや駅の改札等における非接触ＩＣカードの通信に数多く使用されている。近接無線通信では、微弱電波を利用し、無線通信モジュールを小型化することにより、極めて低い消費電力で無線通信することが可能である。非接触ＩＣカードを用いた近接無線通信では、少量のデータの通信を短時間に行うため、カードを通信相手とする電子機器に対して厳密に位置合わせしなくても容易に安定した通信が実現される。
【０００３】
一方、通信速度を高速にして、単位時間当たりのデータ送信量を増大させるＴｒａｎｓｆｅｒＪＥＴと称される近距離無線通信の規格が検討されている。この規格の近接無線通信では、高速にデータ転送を可能とすることで、大量のデータ転送が必要な分野での使用が想定されている。電子機器は、無線信号を送受信するカプラが実装され、このカプラが通信相手とする機器のカプラと位置合わせされることにより近接無線通信を実行する。近距離無線通信では、例えばカプラ同士の距離が３０ｍｍ以内となった場合に通信可能となり、さらに無線信号（電波）の電界強度が強くなる位置で位置合わせすることで転送レートを高くすることができる。
【０００４】
従って、短時間に大量のデータ転送をするためには、ユーザは、近接無線通信を実行する電子機器のカプラ同士の位置を、電界強度が高くなる適切な位置に位置決めして、その状態を維持し続ける必要がある。
【０００５】
従来の無線通信装置では、受信電波の電界強度に基づいて無線通信の状態を検出し、この通信状態に基づいて、受信感度情報のメッセージを表示することが検討されている（例えば、特許文献１参照）。特許文献１に記載された無線通信装置では、受信電波の電界強度、またはエラー率などを検出し、映像及び音声データが途絶えていること、通信チャンネル変更中であること、接続中であること、通信圏外であることを報知することができる。
【特許文献１】特開２００４−３２０７６２号公報
【発明の開示】
【発明が解決しようとする課題】
【０００６】
このようにして、近接無線通信において安定した状態で高速にデータ転送をするためには、通信を行う電子機器のそれぞれに設けられたカプラ同士を適切に位置決めすることが望ましい。しかしながら、近接無線通信を行う電子機器が、例えば特徴的形状のデジタルカメラや筐体のサイズが比較的大きいデジタルビデオカメラなどであった場合には、通信相手とする他の電子機器との間で、カプラ同士を目視によって位置合わせすることが困難となってしまう。
【０００７】
特許文献１に記載された無線通信装置では、受信電波の電界強度を検出しているが、通信が途絶えたか否かを認識できるだけであった。
【０００８】
本発明は上述の事情を考慮してなされたものであり、安定して近接無線通信が実行される位置に容易に位置決めすることが可能な電子機器、通信状態出力方法を提供することを目的とする。
【課題を解決するための手段】
【０００９】
上述の課題を解決するため、本発明は、無線信号を送受信する通信モジュールと、前記通信モジュールにより送受信される無線信号の電界強度を検出する電界強度検出手段と、前記電界強度検出手段により検出された電界強度が、時間経過に伴って強くなっている第１の状態と、時間経過に伴って弱くなっている第２の状態を検出する状態検出手段と、出力手段と、前記第１の状態と前記第２の状態のそれぞれに応じて前記出力手段による出力を制御する出力制御手段とを具備したことを特徴とする。
【発明の効果】
【００１０】
本発明によれば、安定して近接無線通信が実行される位置に容易に位置決めすることが可能となる。
【発明を実施するための最良の形態】
【００１１】
以下、図面を参照して、本発明の実施形態について説明する。  
まず、本発明の実施形態に係る電子機器について説明する。本実施形態の電子機器は、例えば、図１に示すノートブック型のパーソナルコンピュータ１０、デジタルカメラ２５として実現されている。以下の説明では、パーソナルコンピュータ１０とデジタルカメラ２５との間で近接無線通信を実行する場合を例にして説明する。
【００１２】
なお、本発明の電子機器は、パーソナルコンピュータ１０やデジタルカメラ２５だけでなく、例えば携帯電話機、ＰＤＡ（personal digital assistant）、携帯型オーディオ／ビデオプレイヤ、デジタルビデオカメラ、携帯型カーナビゲーション装置など、プログラムを実行するプロセッサが搭載された機器であれば良い。
【００１３】
図１は、パーソナルコンピュータ１０のディスプレイユニットを開いた状態における斜視図である。パーソナルコンピュータ１０は、コンピュータ本体１１と、ディスプレイユニット１２とから構成されている。ディスプレイユニット１２には、ＬＣＤ（Liquid Crystal Display）１７から構成される表示装置が組み込まれている。
【００１４】
ディスプレイユニット１２は、コンピュータ本体１１に対し、コンピュータ本体１１の上面が露出される開放位置とコンピュータ本体１１の上面を覆う閉塞位置との間を回動自在に取り付けられている。コンピュータ本体１１は薄い箱形の筐体を有しており、その上面にはキーボード１３、パワーオン／パワーオフするためのパワーボタン１４、入力操作パネル１５、タッチパッド１６、およびスピーカ１８などが配置されている。
【００１５】
入力操作パネル１５は、押されたボタンに対応するイベントを入力する入力装置であり、複数の機能をそれぞれ起動するための複数のボタンを備えている。
【００１６】
さらに、コンピュータ本体１１の上面部、いわゆるパームレストと呼ばれる部分には、近接無線通信による無線信号を送受信するためのカプラ２１が配設されている。パーソナルコンピュータ１０には、他の電子機器と近接させた状態で無線通信を行う近接無線通信機能が搭載されており、カプラ２１を通じて他の電子機器とデータ通信を実行する。
【００１７】
また、カプラ２１の近傍には、例えばＬＥＤ（Light Emitting Diode）などの発光素子により構成されたインジケータ２２が設けられている。インジケータ２２は、近接無線通信の相手となる他の電子機器から受信される無線信号（電波）の電界強度の変化をユーザに通知するために用いられる。
【００１８】
一方、図１に示すデジタルカメラ２５は、パーソナルコンピュータ１０と近接させた状態で無線通信を行う近接無線通信機能が搭載されている。デジタルカメラ２５には、例えば筐体底面部に近接無線通信による無線信号を送受信するためのカプラ２６が配設されている。また、デジタルカメラ２５には、例えば裏面側筐体（通常、ディスプレイが設けられた側）に、例えばＬＥＤなどの発光素子により構成されたインジケータ２７が設けられている。インジケータ２７は、パーソナルコンピュータ１０に設けられたインジケータ２２と同様に、近接無線通信の相手となる他の電子機器から受信される無線信号（電波）の電界強度の変化をユーザに通知するために用いられる。
【００１９】
次に、図２を参照して、パーソナルコンピュータ１０のシステム構成について説明する。  
パーソナルコンピュータ１０は、ＣＰＵ１１１、主メモリ１１２、ノースブリッジ１１４、グラフィクスプロセッシングユニット（ＧＰＵ）１１６、サウスブリッジ１１７、ＢＩＯＳ−ＲＯＭ１２０、ハードディスクドライブ（ＨＤＤ）１２１、光ディスクドライブ（ＯＤＤ）１２２、サウンドコントローラ１２３、近接無線通信コントローラ１２４、制御マイコン１２６、及びエンベデッドコントローラ／キーボードコントローラＩＣ（ＥＣ／ＫＢＣ）１４０等を備えている。
【００２０】
ＣＰＵ１１１は、パーソナルコンピュータ１０の動作を制御するために設けられたプロセッサであり、ＨＤＤ１２１から主メモリ１１２にロードされる、オペレーティングシステム（ＯＳ）１１２ａ、状態通知プログラム１１２ｂの他、各種アプリケーションプログラム１１２ｃを実行する。
【００２１】
状態通知プログラム１１２ｂは、例えばアプリケーションプログラム１１２ｃの実行に伴って、近接無線通信により他の電子機器（例えばデジタルカメラ２５）との間でデータを送受信する必要がある場合に、ユーザが自機のカプラ２１と他の電子機器のカプラとを容易に位置合わせできるように補助するための状態通知処理を実行するためのプログラムである。
【００２２】
ＣＰＵ１１１は、状態通知アプリケーション１１２ｂを実行することにより、近接無線通信コントローラ１２４の電界強度検出機能により検出された電界強度が、時間経過に伴って強くなっている第１の状態と、時間経過に伴って弱くなっている第２の状態を検出し、この検出した第１の状態と第２の状態のそれぞれに応じて、制御マイコン１２６を通じてインジケータ２２の出力を制御する。
【００２３】
ノースブリッジ１１４は、ＣＰＵ１１１のローカルバスとサウスブリッジ１１７との間を接続するブリッジデバイスである。ノースブリッジ１１４には、主メモリ１１２をアクセス制御するメモリコントローラも内蔵されている。また、ノースブリッジ１１４は、PCI Expressバスなどを介してグラフィクスプロセッシングユニット（ＧＰＵ）１１６との通信を実行する機能も有している。
【００２４】
グラフィクスプロセッシングユニット（ＧＰＵ）１１６は、パーソナルコンピュータ１０のディスプレイモニタとして使用されるＬＣＤ１７を制御する表示コントローラである。ＧＰＵ１１６は、ＯＳまたはアプリケーションプログラム１１２ｃによってビデオメモリ（ＶＲＡＭ）１１６Ａに書き込まれた表示データから、ＬＣＤ１７に表示すべき画面イメージを形成する映像信号を生成する。
【００２５】
サウスブリッジ１１７は、ハードディスクドライブ（ＨＤＤ）１２１及び光ディスクドライブ（ＯＤＤ）１２２を制御するための、ＩＤＥ（Integrated Drive Electronics）コントローラやSerial ATAコントローラを内蔵している。
【００２６】
ＨＤＤ１２１は、各種プログラム及びデータを格納する記憶装置である。ＨＤＤ１２１には、アプリケーションプログラム１１２ｃにより処理対象となる各種データが格納される。
【００２７】
光ディスクドライブ（ＯＤＤ）１２２は、ビデオコンテンツが格納されたＤＶＤなどの記憶メディアを駆動するためのドライブユニットである。
【００２８】
サウンドコントローラ１２３は、音源デバイスであり、ＣＰＵ１１１の制御のもとで、各種オーディオデータに対応する音をスピーカ１８から出力するための処理を実行する。
【００２９】
近接無線通信コントローラ１２４は、ＣＰＵ１１１の制御のもとで、カプラ２１を通じて他の電子機器との間で近接無線通信を実行する。本実施形態における近接無線通信は、カプラ２１と他の電子機器に実装されたカプラとの距離が、例えば３０ｍｍ以内にある場合にデータ通信が可能になるものとする。近接無線通信コントローラ１２４には、カプラ２１を通じて受信された無線信号をもとに、電界強度を検出する電界強度検出機能が設けられている。電界強度検出機能により検出された電界強度は、ＣＰＵ１１１により実行される状態通知処理において例えば一定時間（単位時間）毎に読み出される。
【００３０】
制御マイコン１２６は、ＣＰＵ１１１の状態通知処理に応じた制御のもとで、インジケータ２２の駆動を制御する。制御マイコン１２６は、ＣＰＵ１１１からの指示に応じて、インジケータ２２の点滅／点灯の変更、点滅間隔の変更、表示色の変更などを制御することができる。
【００３１】
エンベデッドコントローラ／キーボードコントローラＩＣ（ＥＣ／ＫＢＣ）１４０は、電力管理のためのエンベデッドコントローラと、キーボード（ＫＢ）１３及びタッチパッド１６を制御するためのキーボードコントローラとが集積された１チップマイクロコンピュータである。ＥＣ／ＫＢＣ１４０には、パーソナルコンピュータ１０が電源オフされた状態においても、電源回路１４１から常に動作電源が供給される。また、ＥＣ／ＫＢＣ１４０は、ＡＶ操作パネル１５を制御するためのコントローラとして機能する。
【００３２】
また、ＥＣ／ＫＢＣ１４０は、ユーザによるパワーボタンスイッチ１４の操作に応じて、パーソナルコンピュータ１０をパワーオン／パワーオフする機能を有している。パーソナルコンピュータ１０のパワーオン／パワーオフの制御は、ＥＣ／ＫＢＣ１４０と電源回路（図示せず）との共同動作によって実行される。電源回路は、コンピュータ本体１１に装着されたバッテリからの電力、またはコンピュータ本体１１に外部電源として接続されるＡＣアダプタからの電力を用いて、各コンポーネントへの動作電源を生成する。
【００３３】
一方、デジタルカメラ２５は、図２に示すように、カメラＳｏＣ（System on Chip）３０、カメラユニット３１、近接無線通信コントローラ３２、バイブレーションモジュール３５、カプラ２６、及びインジケータ２７などが設けられている。
【００３４】
カメラＳｏＣ３０は、デジタルカメラ２５全体の制御を行う。カメラＳｏＣ３０は、カメラユニット３１に対する制御によって画像（静止画、動画）を撮影し、画像データを記憶媒体（図示せず）に記録させる。記録媒体に記録された画像データは、例えば近接無線通信によってパーソナルコンピュータ１０に転送して、パーソナルコンピュータ１０に保存させておくことができる。
【００３５】
カメラＳｏＣ３０は、予め実装された状態通知アプリケーションを実行することにより、近接無線通信により他の電子機器（例えばパーソナルコンピュータ１０）との間でデータを送受信する必要がある場合に、ユーザが自機のカプラ２６と他の電子機器のカプラとを容易に位置合わせできるように補助するための状態通知処理を実行する。
【００３６】
カメラＳｏＣ３０は、状態通知アプリケーションを実行することにより、近接無線通信コントローラ３２の電界強度検出機能により検出された電界強度が、時間経過に伴って強くなっている第１の状態と、時間経過に伴って弱くなっている第２の状態を検出し、この検出した第１の状態と第２の状態のそれぞれに応じて、インジケータ２２の出力、あるいはバイブレーションモジュール３５の駆動を制御する。カメラＳｏＣ３０は、状態通知処理によって、インジケータ２７の点滅／点灯の変更、点滅間隔の変更、表示色の変更などを制御することができる。また、カメラＳｏＣ３０は、状態通知しわによって、バイブレーションモジュール３５の振動／停止、振動間隔の変更などを制御することができる。
【００３７】
カメラユニット３１は、カメラＳｏＣ３０の制御のもとで画像を撮影し、画像データを記録媒体に記録するためのユニットである。
【００３８】
近接無線通信コントローラ３２は、カメラＳｏＣ３０の制御のもとで、カプラ２６を通じて他の電子機器との間で近接無線通信を実行する。本実施形態における近接無線通信は、カプラ２６と他の電子機器に実装されたカプラとの距離が、例えば３０ｍｍ以内にある場合にデータ通信が可能になるものとする。近接無線通信コントローラ３２には、カプラ２６を通じて受信された無線信号をもとに、電界強度を検出する電界強度検出機能が設けられている。電界強度検出機能により検出された電界強度は、カメラＳｏＣ３０により実行される状態通知処理において例えば一定時間（単位時間）毎に読み出される。
【００３９】
バイブレーションモジュール３５は、カメラＳｏＣ３０により駆動されるもので、振動／停止、振動間隔の変更が可能である。
【００４０】
次に、本実施形態における近接無線通信のための状態通知処理の概略について図３を用いて説明する。  
図３は、パーソナルコンピュータ１０に設けられたカプラ２１の近傍に、デジタルカメラ２５のカプラ２６を、図中矢印Ａに示すように通過させた時の電界強度の変化を示している。
【００４１】
パーソナルコンピュータ１０は、近接無線通信コントローラ１２４によって、カプラ２１が受信した通信信号をもとに電界強度を検出している。また、デジタルカメラ２５も同様に、近接無線通信コントローラ３２によって、カプラ２６が受信した通信信号をもとに電界強度を検出している。図３に示す電界強度の変化を示す図は、パーソナルコンピュータ１０によって検出される電界強度の変化を示しているものとする（デジタルカメラ２５もパーソナルコンピュータ１０と同様に電界強度を検出している）。
【００４２】
図３に示すＡ１位置にデジタルカメラ２５がある場合、デジタルカメラ２５のカプラ２６とパーソナルコンピュータ１０のカプラ２１とは近接無線通信ができない距離にある。この場合、電界強度は０となる。
【００４３】
ここから、矢印Ａが示す方向にデジタルカメラ２５が移動されることにより、デジタルカメラ２５のカプラ２６とパーソナルコンピュータ１０のカプラ２１との距離が時間の経過に伴って短くなる。カプラ２６とカプラ２１との距離が近接無線通信が範囲内になると、その距離が短くなるに従って電界強度がしだいに高くなっていく。
【００４４】
図３に示すＡ２位置にデジタルカメラ２５がある場合、デジタルカメラ２５のカプラ２６とパーソナルコンピュータ１０のカプラ２１とが最も近接する。この時に検出される電界強度が最も高くなる。
【００４５】
そして、さらに矢印Ａが示す方向にデジタルカメラ２５が移動されることにより、デジタルカメラ２５のカプラ２６とパーソナルコンピュータ１０のカプラ２１との距離が時間の経過に伴って長くなる。このため、カプラ２６とカプラ２１との距離が短くなるに従って電界強度がしだいに低くなっていく。
【００４６】
本実施形態におけるパーソナルコンピュータ１０（状態通知処理）では、デジタルカメラ２５が図３に示すＡ１位置からＡ２位置まで移動される間の電界強度が時間経過に伴って強くなっている第１の状態と、デジタルカメラ２５が図３に示すＡ２位置からＡ３位置まで移動される間の電界強度が時間経過に伴って弱くなっている第２の状態を検出する。そして、第１の状態と第２の状態のそれぞれに応じて、インジケータ２２の出力形態を変更することによって、デジタルカメラ２５を操作しているユーザに対して、デジタルカメラ２５のカプラ２６をパーソナルコンピュータ１０のカプラ２１に近づけているか、あるいは遠ざけているかを容易に認識させることができる。従って、ユーザは、パーソナルコンピュータ１０のカプラ２１とデジタルカメラ２５のカプラ２６を直接目視できなくても、インジケータ２２の出力形態の変化を見ながら、電界強度が最も高くなる図３に示すＡ２位置にデジタルカメラ２５を合わせることが可能となる。
【００４７】
次に、パーソナルコンピュータ１０とデジタルカメラ２５との間で近接無線通信によってデータ転送が実行される場合について説明する。ここでは、パーソナルコンピュータ１０とデジタルカメラ２５は、同じ規格による近接無線通信を行う機能が搭載されている。デジタルカメラ２５に記録された画像データをパーソナルコンピュータ１０に転送する場合、デジタルカメラ２５は、転送対象とするデータが選択され、近接無線通信の実行が指示されるものとする。デジタルカメラ２５は、カプラ２６を通じてパーソナルコンピュータ１０（カプラ２１）との間で近接無線通信が可能な状態になると、データ転送のための処理を開始する。
【００４８】
一方、パーソナルコンピュータ１０は、他の機器（デジタルカメラ２５）と近接無線通信を実行可能な状態になると、状態通知アプリケーション１１２ｂによる状態通信処理を実行する。
【００４９】
以下、パーソナルコンピュータ１０における状態通知処理について、図４に示すフローチャートを参照しながら説明する。
【００５０】
ＣＰＵ１１１は、状態通知処理が起動されると、初期化処理を実行する（ステップＡ１）。初期化処理では、例えばインジケータ２２による出力形態を初期状態、例えば電界強度が最も低い状態にあることを表すように設定する。
【００５１】
ＣＰＵ１１１は、予め設定された一定時間（単位時間）が経過すると（ステップＡ２、Ｙｅｓ）、近接無線通信コントローラ１２４の電界強度検出機能により検出された、カプラ２１により検出された通信信号（電波）の電界強度を検出する（ステップＡ３）。
【００５２】
ＣＰＵ１１１は、ここで検出された電界強度（Ｔ）と、一定時間前（Ｔ−１）に検出された電界強度（Ｔ−１）とを比較する（ステップＡ４）。
【００５３】
ここで、電界強度（Ｔ）の方が電界強度（Ｔ−１）より高かった場合（ステップＡ４、「＞」）、ＣＰＵ１１１は、電界強度が時間経過に伴って強くなっている第１の状態にあるものと判別する。
【００５４】
次に、ＣＰＵ１１１は、予め設定された電界強度に対する閾値上限と電界強度（Ｔ）とを比較し、電界強度（Ｔ）が閾値上限以下であった場合には（ステップＡ６、「≦」）、インジケータ２２の点滅間隔を一定時間前（Ｔ−１）の時よりも短くする（ステップＡ７）。
【００５５】
従って、図３に示すＡ１位置からＡ２位置までデジタルカメラ２５が移動されている間には、第１の状態にあるものと判別され、電界強度が強くなるに従ってインジケータ２２の点滅間隔が短くなっていく。
【００５６】
ユーザは、デジタルカメラ２５を移動させることでインジケータ２２の点滅間隔が短くなっていくので、安定した近接無線通信が可能な位置に近づいていることを確認できる。
【００５７】
なお、閾値上限は、カプラ同士が適切な位置に位置決めされていることを判別するために設定されている。すなわち、閾値上限は、近接無線通信によって安定して高速にデータ通信が可能な状態となる電界強度に設定されている。近接無線通信コントローラ１２４によって検出される電界強度が閾値上限を越えている場合、近接無線通信を行う２つの電子機器は、それぞれのカプラ同士がデータ通信に好適な位置関係（例えば、図３示すＡ２位置）にある。
【００５８】
ＣＰＵ１１１は、予め設定された電界強度に対する閾値上限と電界強度（Ｔ）とを比較した結果、電界強度（Ｔ）が閾値上限を越える場合には（ステップＡ６、「＞」）、カプラ同士が最適な位置にあることを表すように、インジケータ２２の表示色を変えて点灯表示させる（ステップＡ８）。従って、ユーザは、インジケータ２２の点灯色が変化したことを確認することで、デジタルカメラ２５のカプラ２６を、パーソナルコンピュータ１０カプラ２１に対して適切な位置に位置合わせできたことを判別できる。
【００５９】
なお、ここでは、インジケータ２２の点灯色を変更して、点滅状態から点灯状態に変更しているが、カプラ同士が最適な位置にあることを表すための予め決められた特定の形態であれば、その他の出力形態を用いることも可能である。例えば、表示辞職を変更しないで単に点滅状態から点灯状態に変更する、一定の点滅から予め決められた変則のパターンによる点滅にする、あるいは点滅間隔が最短の状態で表示色のみを変更するようにしても良い。
【００６０】
一方、ＣＰＵ１１１は、検出された電界強度（Ｔ）と、一定時間前（Ｔ−１）に検出された電界強度（Ｔ−１）とを比較した結果、電界強度（Ｔ−１）の方が電界強度（Ｔ）より高かった場合には（ステップＡ４、「＜」）、ＣＰＵ１１１は、電界強度が時間経過に伴って弱くなっている第２の状態にあるものと判別する。
【００６１】
次に、ＣＰＵ１１１は、予め設定された電界強度に対する閾値下限と電界強度（Ｔ）とを比較し、電界強度（Ｔ）が閾値下限以上であった場合には（ステップＡ９、「≧」）、インジケータ２２の点滅間隔を一定時間前（Ｔ−１）の時よりも長くする（ステップＡ１０）。
【００６２】
従って、図３に示すＡ２位置からＡ３位置までデジタルカメラ２５が移動されている間には、第２の状態にあるものと判別され、電界強度が弱くなるに従ってインジケータ２２の点滅間隔が長くなっていく。
【００６３】
ユーザは、デジタルカメラ２５を移動させることでインジケータ２２の点滅間隔が長くなっていくので、安定した近接無線通信が可能な位置から離れていることを確認できる。従って、ユーザは、デジタルカメラ２５をパーソナルコンピュータ１０のカプラ２１が設けられた位置の近くで動かすことで、インジケータ２２の点滅間隔が短くなったり長くなったりするのを確認しながら、インジケータ２２の点灯色が変化する最適な位置を探ることができる。
【００６４】
なお、閾値下限は、近接無線通信ができない状態にあることを判別するために設定されている。すなわち、閾値下限は、近接無線通信によるデータ通信が不適な状態となる電界強度に設定されている。近接無線通信コントローラ１２４によって検出される電界強度が閾値下限より低い場合、近接無線通信を行う２つの電子機器は、それぞれのカプラ同士がデータ通信に不適な位置関係（例えば、図３示すＡ３位置）にある。
【００６５】
ＣＰＵ１１１は、予め設定された電界強度に対する閾値下限と電界強度（Ｔ）とを比較した結果、電界強度（Ｔ）が閾値下限より低い場合には（ステップＡ９、「＜」）、カプラ同士が近接無線通信に不適な位置にあることを表すように、インジケータ２２の出力形態を初期状態にする（ステップＡ１１）。
【００６６】
なお、ＣＰＵ１１１は、電界強度（Ｔ）と電界強度（Ｔ−１）とを比較した結果、電界強度に変化がなかった場合には（ステップＡ４、「＝」）、インジケータ２２の出力形態の変更を行わない。
【００６７】
ＣＰＵ１１１は、近接無線通信によるデータ転送が完了すると状態通知処理を終了する（ステップＡ５、Ｙｅｓ）。
【００６８】
このようにして、ＣＰＵ１１１は、前述のように、カプラ２１によって受信される通信信号の電界強度を一定時間ごとに検出し、前回の検出結果と比較して第１の状態、あるいは第２の状態の何れかに応じてインジケータ２２の出力形態を変更することで、ユーザに対してパーソナルコンピュータ１０とデジタルカメラ２５のカプラ２１，２６の位置関係を認識させることができる。また、電界強度が閾値上限を超えた場合には、カプラ２１，２６が適切な位置関係にあるものとして、インジケータ２２の出力形態が特定の形態（表示色、点灯）に変更される。このため、ユーザは、カプラ２１，２６の位置を直接目視することなく、最適な位置関係にあることを認識し、その状態を維持させることができる。
【００６９】
図１に示す例では、比較的小型のデジタルカメラ２５を例に示しているが、デジタルビデオカメラや他の比較的筐体サイズが大きい電子機器の場合には、さらにカプラの配置場所を把握しにくくなるが、本実施形態における電子機器であれば筐体サイズに関係なく、インジケータの出力形態の変化を見ながららカプラ同士を最適な位置に容易に位置決めすることができる。
【００７０】
なお、前述した説明では、パーソナルコンピュータ１０において状態通知処理を事項する場合について説明しているが、デジタルカメラ２５においても同様に状態通知処理を実行することができる。デジタルカメラ２５（カメラＳｏＣ３０）は、図４に示すフローチャートと同様にして、近接無線通信コントローラ３２によって検出される電界強度を一定時間毎に取得して、この電界強度の変化に基づいてインジケータ２７に対する出力を制御する。これにより、ユーザは、デジタルカメラ２５に設けられたインジケータ２７の出力形態の変化を参照しながら、パーソナルコンピュータ１０に設けられたカプラ２１に対して、適切な位置にカプラ２６を位置合わせすることができる。
【００７１】
また、デジタルカメラ２５は、バイブレーションモジュール３５を状態通知処理のための出力モジュールとして使用することができる。この場合、バイブレーションモジュール３５の初期状態は、振動を発生していない状態とする。カメラＳｏＣ３０は、電界強度が第１の状態にあることが判別された場合、バイブレーションモジュール３５の振動間隔を時間経過に伴って短くしていく（図４、ステップＡ７）。また、カメラＳｏＣ３０は、電界強度が第２の状態にあることが判別された場合、バイブレーションモジュール３５の振動間隔を時間経過に伴って長くしていく（図１０、ステップＡ１０）。また、電界強度（Ｔ）が閾値上限を超えた場合には（ステップＡ６、「＞」）、ＣＰＵ１１１は、カプラ同士が最適な位置にあることを表す出力形態として、バイブレーションモジュール３５の振動周期を最短にする（ステップＡ８）。
【００７２】
このようにして、状態通知処理に用いる出力モジュールとして、ＬＥＤなどを用いたインジケータだけでなく、バイブレーションモジュール３５などの他のモジュールを使用することも可能である。例えば、携帯電話機には、基本機能としてバイブレータが設けられているため、このバイブレータを状態通知処理に利用することができる。
【００７３】
また、デジタルカメラ２５では、状態通知処理に使用する出力モジュールとして、インジケータ２７とバイブレーションモジュール３５を使用することができるが、インジケータ２７とバイブレーションモジュール３５の何れか、あるいは両方を用いるかをユーザが任意に設定できるようにしても良い。
【００７４】
また、前述した説明では、状態通知処理のための専用の出力モジュールとして、パーソナルコンピュータ１０ではインジケータ２２、デジタルカメラ２５ではインジケータ２７及びバイブレーションモジュール３５が設けられているが、こうした専用の出力モジュールが設けられていない電子機器における状態通知処理について説明する。
【００７５】
図５は、状態通知処理のための専用モジュールが設けられていない電子機器における状態通知処理を説明するためのフローチャートである。なお、基本的な処理については、図４に示すフローチャートと同じであるので詳細な説明を省略する（図５に示すステップＢ１〜Ｂ１１は、図４に示すステップＡ１〜Ａ１１にそれぞれ対応している）。
【００７６】
ここでは、電子機器において標準で実装されている表示装置を、状態通知処理に用いる出力モジュールとして使用する。以下、パーソナルコンピュータ１０においてＬＣＤ１７を使用する場合を例にして説明する。この場合、状態通知アプリケーション１１２ｂは、状態通知処理において、ＬＣＤ１７に状態通知のための表示を制御する機能を有する。
【００７７】
ＣＰＵ１１１は、近接無線通信コントローラ１２４により検出された電界強度をもとに、第１の状態であることが判別され（ステップＢ４、「＞」）、電界強度（Ｔ）が閾値上限以下であった場合には（ステップＢ６、「≦」）、ＬＣＤ１７に通信状態が良くなっていることを表示する。ＬＣＤ１７には、例えばインジケータを表す図形を表示し、時間経過に伴って通信状態が良好になっていくことを表すように図形の形状を変化させる。具体的には、インジケータを表す帯状の図形を表示し、時間経過に伴って長くしていくことで、通信状態が良くなっていることを表現する。また、他の表示形態としては、テキストによって、通信状態が良くなっていることを表すメッセージを表示するようにしても良い。その他、任意の表示形態を用いることができる。
【００７８】
また、ＣＰＵ１１１は、電界強度（Ｔ）が閾値上限を越える場合には（ステップＢ６、「＞」）、カプラ同士が最適な位置にあり、安定した通信状態となったことをＬＣＤ１７において表示させる（ステップＢ８）。この場合、前述と同様にして、安定した通信状態となったことを表す所定の図形を表示したり、テキストによるメッセージを表示したりすることができる。
【００７９】
また、ＣＰＵ１１１は、近接無線通信コントローラ１２４により検出された電界強度をもとに、第２の状態であることが判別され（ステップＢ９、「＜」）、電界強度（Ｔ）が閾値下限以上であった場合には（ステップＢ９、「≧」）、ＬＣＤ１７に通信状態が悪くなっていることを表示する。ＬＣＤ１７には、例えばインジケータを表す図形を表示している場合、時間経過に伴って帯状の図形を短くしていくことで、通信状態が悪くなっていることを表現する。また、テキストによって、通信状態が悪くなっていることを表すメッセージを表示するようにしても良い。その他、任意の表示形態を用いることができる。
【００８０】
また、ＣＰＵ１１１は、電界強度（Ｔ）が閾値下限より小さくなった場合には（ステップＢ９、「＜」）、近接無線通信が不適な状態となったことをＬＣＤ１７において表示させる（ステップＢ１１）。この場合、前述と同様にして、近接無線通信が不適な状態となったことを表す所定の図形を表示したり、テキストによるメッセージを表示したりすることができる。
【００８１】
このようにして、ＣＰＵ１１１は、状態通知アプリケーション１１２ｂを実行することにより、ＬＣＤ１７を状態通知処理の出力モジュールとして使用して、近接無線通信により受信される無線信号の電界強度に応じて出力形態を変更し、ユーザに対してパーソナルコンピュータ１０とデジタルカメラ２５のカプラ２１，２６の位置関係を認識させることができる。
【００８２】
また、前述した説明では、ＬＣＤ１７を出力モジュールとして使用する場合について説明しているが、スピーカ１８を出力モジュールとして使用することができる。この場合、ＣＰＵ１１１は、サウンドコントローラ１２３を通じてスピーカ１８から出力される出力音を電界強度の変化に応じて変更することによって、ユーザに対してパーソナルコンピュータ１０とデジタルカメラ２５のカプラ２１，２６の位置関係を認識させることができる。
【００８３】
例えば、スピーカ１８から間欠音を出力するものとし、第１の状態の場合には発音周期を短くし、第２の状態の場合には発音周期を長くする。そして、電界強度（Ｔ）が閾値上限を超える場合には、スピーカ１８から連続音を出力させる。なお、その他の出力音を用いることが可能である。このように、ＬＣＤ１７（表示装置）だけでなく、他の出力モジュールを使用することも可能である。
【００８４】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【００８５】
また、前述した実施の形態において記載した処理は、コンピュータに実行させることのできる状態通知アプリケーションとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。コンピュータは、記録媒体に記録されたプログラムを読み込み、または通信媒体を介してプログラムを受信し、このプログラムによって動作が制御されることにより、上述した状態通知処理を実行する。
【図面の簡単な説明】
【００８６】
【図１】本実施形態におけるパーソナルコンピュータの外観図の一例を示す図。
【図２】本実施形態におけるパーソナルコンピュータのシステム構成の一例を示すブロック図。
【図３】本実施形態における状態通知処理の一例を示す説明図。
【図４】本実施形態における状態通知処理の一例を示すフローチャート。
【図５】本実施形態における状態通知処理の一例を示すフローチャート。
【符号の説明】
【００８７】
１０…パーソナルコンピュータ、１７…ＬＣＤ、２１，２６…カプラ、２２，２７…インジケータ、２５…デジタルカメラ、１１２ｂ…状態通知アプリケーション、３２，１２４…近接無線通信コントローラ、１２６…制御マイコン、３０…カメラＳｏＣ、３５…バイブレーションモジュール。
【図１】
2010128975.tif 000003
【図２】
2010128975.tif 000004
【図３】
2010128975.tif 000005
【図４】
2010128975.tif 000006
【図５】
2010128975.tif 000007
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
無線信号を送受信する通信モジュールと、
前記通信モジュールにより受信される無線信号の電界強度を一定時間毎に検出する電界強度検出手段と、
前記電界強度検出手段により検出された電界強度状態を示す出力手段と、
前記電界強度検出手段により検出された電界強度の変化量に基づき、時間経過に伴って強くなっている第１の状態と、時間経過に伴って弱くなっている第２の状態とを検出する状態検出手段と、
前記状態検出手段により前記第１の状態を検出した場合、前記第１の状態に対応付けた第１の形態で出力し、前記第２の状態を検出した場合、前記第２の状態に対応付けた第２の形態で出力するように制御する出力制御手段と
を具備したことを特徴とする電子機器。
【請求項２】
前記状態検出手段は、前記電界強度検出手段により検出された電界強度が予め設定された閾値を越えた第３の状態を検出し、
前記出力制御手段は、前記第３の状態が検出された場合、前記出力手段による出力を第３の形態にすることを特徴とする請求項１記載の電子機器。
【請求項３】
前記出力手段は、光を点灯させる発光手段であって、
前記第１の形態は、前記発光手段による点滅間隔を前記電界強度の変化量に従って短くし、前記第２の形態は、前記発光手段による点滅間隔を前記電界強度の変化量に従って長くすることを特徴とする請求項２記載の電子機器。
【請求項４】
前記第３の形態は、前記第１及び第２の形態とは異なる点灯色にすることを特徴とする請求項３に記載の電子機器。
【請求項５】
前記出力手段は、振動を発生させる振動手段であって、
前記第１の形態は、前記振動手段による振動間隔を前記電界強度の変化量に従って短くし、前記第２の形態は、前記振動手段による振動間隔を前記電界強度の変化量に従って長くするように制御することを特徴とする請求項２記載の電子機器。
【請求項６】
前記第３の形態は、前記第１及び第２の形態よりも振動する周期が短いことを特徴とする請求項５記載の電子機器。
【請求項７】
前記出力手段は、表示装置であって、
前記第１の形態は、通信状態が良くなっていることを表す情報を前記表示装置において表示させ、前記第２の形態は、通信状態が悪くなっていることを表す情報を前記表示装置において表示させることを特徴とする請求項２記載の電子機器。
【請求項８】
通信モジュールにより受信される無線信号の電界強度を一定時間毎に検出し、
検出された電界強度の変化量に基づき、時間経過に伴って強くなっている第１の状態と、時間経過に伴って弱くなっている第２の状態とを検出し、
前記第１の状態を検出した場合、前記第１の状態に対応付けた第１の形態で出力し、
前記第２の状態を検出した場合、前記第２の状態に対応付けた第２の形態で出力することを特徴とする通信状態出力方法。
【手続補正２】
【補正対象書類名】明細書
【補正対象項目名】０００９
【補正方法】変更
【補正の内容】
【０００９】
上述の課題を解決するため、本発明は、無線信号を送受信する通信モジュールと、前記通信モジュールにより受信される無線信号の電界強度を一定時間毎に検出する電界強度検出手段と、前記電界強度検出手段により検出された電界強度状態を示す出力手段と、前記電界強度検出手段により検出された電界強度の変化量に基づき、時間経過に伴って強くなっている第１の状態と、時間経過に伴って弱くなっている第２の状態とを検出する状態検出手段と、前記状態検出手段により前記第１の状態を検出した場合、前記第１の状態に対応付けた第１の形態で出力し、前記第２の状態を検出した場合、前記第２の状態に対応付けた第２の形態で出力するように制御する出力制御手段とを具備したことを特徴とする。
【手続補正３】
【補正対象書類名】明細書
【補正対象項目名】００５９
【補正方法】変更
【補正の内容】
【００５９】
なお、ここでは、インジケータ２２の点灯色を変更して、点滅状態から点灯状態に変更しているが、カプラ同士が最適な位置にあることを表すための予め決められた特定の形態であれば、その他の出力形態を用いることも可能である。例えば、表示色を変更しないで単に点滅状態から点灯状態に変更する、一定の点滅から予め決められた変則のパターンによる点滅にする、あるいは点滅間隔が最短の状態で表示色のみを変更するようにしても良い。
【手続補正４】
【補正対象書類名】明細書
【補正対象項目名】００６９
【補正方法】変更
【補正の内容】
【００６９】
図１に示す例では、比較的小型のデジタルカメラ２５を例に示しているが、デジタルビデオカメラや他の比較的筐体サイズが大きい電子機器の場合には、さらにカプラの配置場所を把握しにくくなるが、本実施形態における電子機器であれば筐体サイズに関係なく、インジケータの出力形態の変化を見ながらカプラ同士を最適な位置に容易に位置決めすることができる。
【手続補正５】
【補正対象書類名】図面
【補正対象項目名】図４
【補正方法】変更
【補正の内容】
【図４】
2010128975.tif 000008
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
無線信号を送受信する通信モジュールと、
前記通信モジュールにより受信される無線信号の電界強度を一定時間毎に検出する電界強度検出手段と、
前記電界強度検出手段により検出された電界強度の状態を出力する出力手段と、
前記電界強度検出手段により検出された電界強度の変化量に基づき、時間経過に伴って強くなっている第１の状態と、時間経過に伴って弱くなっている第２の状態とを検出する状態検出手段と、
前記状態検出手段により前記第１の状態を検出した場合、前記第１の状態に対応付けた第１の形態で出力し、前記第２の状態を検出した場合、前記第２の状態に対応付けた第２の形態で出力するように、前記出力手段を制御する出力制御手段と
を具備したことを特徴とする電子機器。
【請求項２】
前記状態検出手段は、前記電界強度検出手段により検出された電界強度が予め設定された閾値を越えた第３の状態を検出し、
前記出力制御手段は、前記第３の状態が検出された場合、前記出力手段による出力を第３の形態にすることを特徴とする請求項１記載の電子機器。
【請求項３】
前記出力手段は、光を点灯させる発光手段であって、
前記第１の形態は、前記発光手段による点滅間隔を前記電界強度の変化量に従って短くし、前記第２の形態は、前記発光手段による点滅間隔を前記電界強度の変化量に従って長くすることを特徴とする請求項２記載の電子機器。
【請求項４】
前記第３の形態は、前記第１及び第２の形態とは異なる点灯色にすることを特徴とする請求項３に記載の電子機器。
【請求項５】
前記出力手段は、振動を発生させる振動手段であって、
前記第１の形態は、前記振動手段による振動間隔を前記電界強度の変化量に従って短くし、前記第２の形態は、前記振動手段による振動間隔を前記電界強度の変化量に従って長くするように制御することを特徴とする請求項２記載の電子機器。
【請求項６】
前記第３の形態は、前記第１及び第２の形態よりも振動する周期が短いことを特徴とする請求項５記載の電子機器。
【請求項７】
前記出力手段は、表示装置であって、
前記第１の形態は、通信状態が良くなっていることを表す情報を前記表示装置において表示させ、前記第２の形態は、通信状態が悪くなっていることを表す情報を前記表示装置において表示させることを特徴とする請求項２記載の電子機器。
【請求項８】
通信モジュールにより受信される無線信号の電界強度を一定時間毎に検出し、
検出された電界強度の変化量に基づき、時間経過に伴って強くなっている第１の状態と、時間経過に伴って弱くなっている第２の状態とを検出し、
前記第１の状態を検出した場合、前記第１の状態に対応付けた第１の形態で出力し、
前記第２の状態を検出した場合、前記第２の状態に対応付けた第２の形態で出力することを特徴とする通信状態出力方法。
【手続補正２】
【補正対象書類名】明細書
【補正対象項目名】０００９
【補正方法】変更
【補正の内容】
【０００９】
上述の課題を解決するため、本発明は、無線信号を送受信する通信モジュールと、前記通信モジュールにより受信される無線信号の電界強度を一定時間毎に検出する電界強度検出手段と、前記電界強度検出手段により検出された電界強度の状態を出力する出力手段と、前記電界強度検出手段により検出された電界強度の変化量に基づき、時間経過に伴って強くなっている第１の状態と、時間経過に伴って弱くなっている第２の状態とを検出する状態検出手段と、前記状態検出手段により前記第１の状態を検出した場合、前記第１の状態に対応付けた第１の形態で出力し、前記第２の状態を検出した場合、前記第２の状態に対応付けた第２の形態で出力するように、前記出力手段を制御する出力制御手段とを具備したことを特徴とする。
【手続補正３】
【補正対象書類名】明細書
【補正対象項目名】００３６
【補正方法】変更
【補正の内容】
【００３６】
カメラＳｏＣ３０は、状態通知アプリケーションを実行することにより、近接無線通信コントローラ３２の電界強度検出機能により検出された電界強度が、時間経過に伴って強くなっている第１の状態と、時間経過に伴って弱くなっている第２の状態を検出し、この検出した第１の状態と第２の状態のそれぞれに応じて、インジケータ２２の出力、あるいはバイブレーションモジュール３５の駆動を制御する。カメラＳｏＣ３０は、状態通知処理によって、インジケータ２７の点滅／点灯の変更、点滅間隔の変更、表示色の変更などを制御することができる。また、カメラＳｏＣ３０は、状態通知処理によって、バイブレーションモジュール３５の振動／停止、振動間隔の変更などを制御することができる。